(57)【要約】【課題】タッチパネルの透光板内に周囲からの入射光を反射する反射部材を埋設して周囲からの入射光の反射光の輝度を相対的に高くしたり、透光板の表面に屈折部材を形成して漏出光を屈折させたり、透光板の表面に散乱部材を形成して照明光を散乱させたりすることによって、表示装置から遮光フィルタを透過する漏出光の視認性を低下させ、利用者が表示装置の表示内容を正確に視認することができるとともに、第三者が表示装置の表示内容を視認することができないようにして、第三者による覗（のぞ）き見を確実に防止することができるようにする。【解決手段】遮光フィルタは、複数の遮光ルーバーを備え、表示装置から所定の方向へ出射される表示光を遮光し、タッチパネルは、反射部材を備え、周囲からの入射光を反射して、遮光ルーバーを透過した漏出光と同方向へ出射させる。【選択図】図１
2009140205.tif 000002
【特許請求の範囲】
【請求項１】
（ａ）表示装置と、該表示装置の表面上に配設された遮光フィルタと、該遮光フィルタの表面上に配設された透光性のタッチパネルとを有し、
（ｂ）前記遮光フィルタは、複数の遮光ルーバーを備え、前記表示装置から所定の方向へ出射される表示光を遮光し、
（ｃ）前記タッチパネルは、反射部材を備え、周囲からの入射光を反射して、前記遮光ルーバーを透過した漏出光と同方向へ出射させることを特徴とするタッチパネル付表示装置。
【請求項２】
前記反射部材は、前記タッチパネル内に埋設された角錐状の部材であり、鏡面状の側面を備える請求項１に記載のタッチパネル付表示装置。
【請求項３】
（ａ）表示装置と、該表示装置の表面上に配設された遮光フィルタと、該遮光フィルタの表面上に配設された透光性のタッチパネルとを有し、
（ｂ）前記遮光フィルタは、複数の遮光ルーバーを備え、前記表示装置から所定の方向へ出射される表示光を遮光し、
（ｃ）前記タッチパネルは、屈折部材を備え、前記遮光ルーバーを透過した漏出光を屈折させて前記所定の方向以外の方向へ出射させることを特徴とするタッチパネル付表示装置。
【請求項４】
前記屈折部材は、前記タッチパネル表面に形成された凸面突起である請求項３に記載のタッチパネル付表示装置。
【請求項５】
（ａ）表示装置と、該表示装置の表面上に配設された遮光フィルタと、該遮光フィルタの表面上に配設された透光性のタッチパネルと、該タッチパネルの側端に配設された照明装置とを有し、
（ｂ）前記遮光フィルタは、複数の遮光ルーバーを備え、前記表示装置から所定の方向へ出射される表示光を遮光し、
（ｃ）前記タッチパネルは、散乱部材を備え、前記照明装置からの入射光を散乱させて、前記遮光ルーバーを透過した漏出光と同方向へ出射させることを特徴とするタッチパネル付表示装置。
【請求項６】
前記散乱部材は、前記タッチパネル表面に形成された凸面突起である請求項５に記載のタッチパネル付表示装置。
【発明の詳細な説明】
【技術分野】
【０００１】
本発明は、タッチパネル付表示装置に関するものである。
【背景技術】
【０００２】
従来、銀行、信用金庫、郵便局等の金融機関の支店等には、ＡＴＭ（Ａｕｔｏｍａｔｉｃ  Ｔｅｌｌｅｒ  Ｍａｃｈｉｎｅ：現金自動預払機）、ＣＤ（Ｃａｓｈ  Ｄｉｓｐｅｎｓｅｒ：現金自動支払機）等の自動取引装置が設置されている。そして、利用者は前記自動取引装置を自分で操作して、入金、出金、振込、振替等の金融取引を行うようになっている。この場合、キャッシュカードを使用し、さらに、暗証番号を入力することによって利用者の認証が行われる。なお、利用者が暗証番号入力を行う際には、タッチセンサ方式のキーボードパネルを備える入力機能を兼ね備えたタッチパネル付表示装置において、その画面の中央付近又は所定の位置にテンキーが表示される。そして、前記利用者は、表示されたテンキーの所定の数字キーをタッチし、暗証番号を入力する。
【０００３】
しかし、近年では、利用者のキャッシュカード及び暗証番号を不正に入手し、利用者になりすまして顧客の口座から出金したり送金したりする不正行為が多発している。そこで、利用者が暗証番号を入力する際に入力中の暗証番号を覗（のぞ）き見されることを防止するために、表示の見え方を視野的に規制する光学フィルタを前記タッチパネル付表示装置と重ね合わせて設けることによって、自動取引装置にデータを入力する利用者の背中方向を除く、前、横、斜め方向からの第三者による覗き見を防ぐ技術が提案されている（例えば、特許文献１参照。）。
【０００４】
これにより、利用者がタッチパネル付表示装置を操作して暗証番号等のデータを入力する際に、第三者に入力したデータを覗き見されないようにすることができる。
【０００５】
そして、前記光学フィルタとしては、複数の微小なルーバー、又は、ルーバー状エレメントと呼ばれるものを内部に有するフィルム、すなわち、ルーバーフィルムを組み込み、側面方向への表示光の不要な出射を防止して、プライバシー保護や表示のフロントウィンドウへの映り込みを効果的に防止するものが知られている。なお、ルーバーフィルムにおいては、その内部に組み込まれた複数のルーバーが、ルーバーフィルムを透過する光の進行方向を所定の出射角度範囲に制御する効果、すなわち、方向制御効果を発揮する。これにより、側面方向への不要な光の出射を効果的に防止することができる。
【０００６】
図２は従来のルーバーフィルムを備えるタッチパネル付表示装置の表面構造を示す図である。
【０００７】
図において、１７はタッチパネル付表示装置が備えるＬＣＤ（Ｌｉｑｕｉｄ  Ｃｒｙｓｔａｌ  Ｄｉｓｐｌａｙ）パネルであり、１８は該ＬＣＤパネル１７の表面に貼（てん）付されたルーバーフィルムであり、１５は該ルーバーフィルム１８の表面に貼付されたタッチパネルである。前記ルーバーフィルム１８は、透明な樹脂等の光透過材から成る基材と複数の帯状の遮光ルーバー１６とから成るフィルムである。そして、前記遮光ルーバー１６は、矢印１４で示されるＬＣＤパネル１７からの表示光の進行方向を制御し、第三者が覗き見可能な方向に向かう表示光の制限を行う。
【特許文献１】特開２００７−２１２５０７号公報
【発明の開示】
【発明が解決しようとする課題】
【０００８】
しかしながら、前記従来のタッチパネル付表示装置においては、矢印１４で示されるＬＣＤパネル１７からの表示光を１００〔％〕カットすることができず、矢印１３で示されるように、ＬＣＤパネル１７からの表示光がわずかに遮光ルーバー１６を透過して漏れ出てしまう。
【０００９】
もっとも、矢印１２で示される照明光のような周囲からの入射光が強い場合には、タッチパネル１５の表面で反射された矢印１１で示されるような反射光が相対的に強いので、遮光ルーバー１６を透過して漏れ出たＬＣＤパネル１７からの表示光を第三者が覗き見することができないので、問題はない。
【００１０】
しかし、周囲からの入射光が弱い場合にはタッチパネル１５の表面で反射された反射光も弱くなるので、遮光ルーバー１６を透過して漏れ出たＬＣＤパネル１７からの表示光が相対的に強くなり、第三者に覗き見されてしまう。
【００１１】
例えば、遮光ルーバー１６を厚くすることによって該遮光ルーバー１６の遮光性を高くすることにより、遮光ルーバー１６を透過して漏れ出るＬＣＤパネル１７からの表示光を弱くして第三者の覗き見を防止することも考えられる。しかし、この場合、遮光ルーバー１６が目立つようになり、タッチパネル付表示装置に表示される画像の質が低下し、実際の使用に耐えないものとなる。
【００１２】
また、照明環境を変更して周囲からの入射光を強くすることも考えられる。しかし、自動取引装置に合わせて室内の照明環境を変更することは、コストが高く、現実的には困難である。
【００１３】
本発明は、前記従来のタッチパネル付表示装置の問題点を解決して、タッチパネルの透光板内に周囲からの入射光を反射する反射部材を埋設して周囲からの入射光の反射光の輝度を相対的に高くしたり、透光板の表面に屈折部材を形成して漏出光を屈折させたり、透光板の表面に散乱部材を形成して照明光を散乱させたりすることによって、表示装置から遮光フィルタを透過する漏出光の視認性を低下させ、利用者が表示装置の表示内容を正確に視認することができるとともに、第三者が表示装置の表示内容を視認することができないようにして、第三者による覗き見を確実に防止することができるタッチパネル付表示装置を提供することを目的とする。
【課題を解決するための手段】
【００１４】
そのために、本発明のタッチパネル付表示装置においては、表示装置と、該表示装置の表面上に配設された遮光フィルタと、該遮光フィルタの表面上に配設された透光性のタッチパネルとを有し、前記遮光フィルタは、複数の遮光ルーバーを備え、前記表示装置から所定の方向へ出射される表示光を遮光し、前記タッチパネルは、反射部材を備え、周囲からの入射光を反射して、前記遮光ルーバーを透過した漏出光と同方向へ出射させる。
【００１５】
本発明の他のタッチパネル付表示装置においては、さらに、前記反射部材は、前記タッチパネル内に埋設された角錐（すい）状の部材であり、鏡面状の側面を備える。
【００１６】
本発明の更に他のタッチパネル付表示装置においては、表示装置と、該表示装置の表面上に配設された遮光フィルタと、該遮光フィルタの表面上に配設された透光性のタッチパネルとを有し、前記遮光フィルタは、複数の遮光ルーバーを備え、前記表示装置から所定の方向へ出射される表示光を遮光し、前記タッチパネルは、屈折部材を備え、前記遮光ルーバーを透過した漏出光を屈折させて前記所定の方向以外の方向へ出射させる。
【００１７】
本発明の更に他のタッチパネル付表示装置においては、さらに、前記屈折部材は、前記タッチパネル表面に形成された凸面突起である。
【００１８】
本発明の更に他のタッチパネル付表示装置においては、表示装置と、該表示装置の表面上に配設された遮光フィルタと、該遮光フィルタの表面上に配設された透光性のタッチパネルと、該タッチパネルの側端に配設された照明装置とを有し、前記遮光フィルタは、複数の遮光ルーバーを備え、前記表示装置から所定の方向へ出射される表示光を遮光し、前記タッチパネルは、散乱部材を備え、前記照明装置からの入射光を散乱させて、前記遮光ルーバーを透過した漏出光と同方向へ出射させる。
【００１９】
本発明の更に他のタッチパネル付表示装置においては、さらに、前記散乱部材は、前記タッチパネル表面に形成された凸面突起である。
【発明の効果】
【００２０】
本発明によれば、タッチパネル付表示装置においては、タッチパネルの透光板内に周囲からの入射光を反射する反射部材を埋設して周囲からの入射光の反射光の輝度を相対的に高くしたり、透光板の表面に屈折部材を形成して漏出光を屈折させたり、透光板の表面に散乱部材を形成して照明光を散乱させたりするようになっている。これにより、表示装置から遮光フィルタを透過する漏出光の視認性を低下させ、利用者が表示装置の表示内容を正確に視認することができるとともに、第三者が表示装置の表示内容を視認することができないようにして、第三者による覗き見を確実に防止することができる。
【発明を実施するための最良の形態】
【００２１】
以下、本発明の実施の形態について図面を参照しながら詳細に説明する。
【００２２】
図１は本発明の第１の実施の形態におけるタッチパネル付表示装置を示す図である。
【００２３】
図において、２０はタッチパネル付表示装置であり、例えば、銀行、信用金庫、郵便局等の金融機関の支店等に配設され、利用者が、自分で操作して入金、出金、通帳記帳、残高照会、振込、振替、送金等の取引、すなわち、金融取引を行うための装置であるＡＴＭ、ＣＤ等の自動取引装置に装着された表示機能及び入力機能を兼ね備える装置である。
【００２４】
なお、タッチパネル付表示装置２０が装着される装置は、必ずしも金融取引を行うための自動取引装置に限定されるものではなく、例えば、無担保ローン、カードローン等のローン契約を行うために自分で操作する無人契約端末、チケット予約や商品購入申込みを行うためのショッピング端末、タバコや飲料を販売する自動販売機、店舗のレジに配設された代金の精算を行うためのＰＯＳ（Ｐｏｉｎｔ  ｏｆ  Ｓａｌｅｓ）端末、駅の構内等に配設された鉄道の切符を発券するための券売機、空港等に配設された航空機の搭乗券を発券するための発券機等であってもよい。ここでは、説明の都合上、タッチパネル付表示装置２０が自動取引装置に装着されたものである場合についてのみ説明する。
【００２５】
この場合、前記タッチパネル付表示装置２０は、取引選択画面、利用者の希望等を問い合わせる画面、自動取引装置の利用者の操作を促す画面、取引金額を入力する画面、暗証番号を入力する画面等の画面において、テンキー、操作選択ボタン等の入力手段を表示し、前記利用者の入力を受け付ける。
【００２６】
図に示されるように、タッチパネル付表示装置２０は、表示装置としての表示パネル２７、該表示パネル２７の表面上に配設された遮光フィルタとしての遮光パネル２２、及び、該遮光パネル２２の表面上に配設されたタッチパネルとしての透光板２１を有する。
【００２７】
前記表示パネル２７は、ＬＣＤパネル、ＬＥＤ（Ｌｉｇｈｔ  Ｅｍｉｔｔｉｎｇ  Ｄｉｏｄｅ）パネル等の表示手段を備え、取引選択画面、利用者の希望等を問い合わせる画面、自動取引装置の利用者の操作を促す画面、取引金額を入力する画面、暗証番号を入力する画面等の画面を表示する。なお、表示パネル２７が発する表示光は、遮光パネル２２及び透光板２１を通過して利用者に視認される。
【００２８】
また、前記遮光パネル２２は、可視範囲をコントロールする光学フィルタであって、交互に並んで配設された複数の透明層２２ａ及び複数の遮光ルーバー２２ｂを備え、表示パネル２７から所定の方向へ出射される表示光を遮光する。なお、前記透明層２２ａは、例えば、ポリカーボネイト樹脂、アクリル樹脂等の透明な樹脂から成り、前記遮光ルーバー２２ｂは、一般にカーボンブラックを含有する樹脂から成るが、他の暗色化剤を含有する材料から成るものであってもよい。また、前記遮光ルーバー２２ｂは、互いに平行になるように配列されている。この場合、各遮光ルーバー２２ｂの延在する方向は、タッチパネル付表示装置２０が装着された自動取引装置の左右方向に直交する方向であることが望ましい。これは、覗き見をする第三者は、通常、自動取引装置の左右から覗き見をすると考えられるので、自動取引装置の左右方向に向けて出る表示パネル２７からの表示光を遮光ルーバー２２ｂによって効果的に遮断するためである。
【００２９】
さらに、前記透光板２１は、例えば、ポリカーボネイト樹脂、アクリル樹脂等の透明な樹脂から成り、前記表示パネル２７が発する表示光を通過させるとともに、図示されないタッチセンサを備え、利用者の指等が接触した位置を検出するタッチパネルとして機能する。
【００３０】
そして、本実施の形態においては、複数の反射部材２３が前記透光板２１内に埋設されている。各反射部材２３は、例えば、四面体のような角錐であって、三角形状の側面を複数備え、かつ、各側面が鏡面となっていて、光を反射する。前記反射部材２３は、例えば、金属、樹脂、セラミック等の材料から成るが、いかなる種類の材料から成るものであってもよい。また、前記反射部材２３の各側面は、光の反射係数ができる限り高いものであることが望ましい。例えば、反射部材２３自体が樹脂から成るものである場合、側面にアルミニウム等の金属膜をコーティングすることによって、反射係数の高い鏡面状の側面を得ることができる。また、例えば、反射部材２３自体がアルミニウム等の金属から成るものである場合、側面に鏡面加工を施すことによって、反射係数の高い鏡面状の側面を得ることができる。
【００３１】
なお、前記反射部材２３は、ランダムな状態で透光板２１内に埋設されていてもよいが、図に示されるように、反射部材２３の側面が同一方向を向くように配列されて埋設されていることが望ましい。さらに望ましくは、前記側面がタッチパネル付表示装置２０が装着された自動取引装置の左右方向を向くように、反射部材２３は配列される。これにより、周囲からの入射光が反射部材２３の側面によって反射されて自動取引装置の左右方向に向けて出る反射光の輝度を高くすることができ、遮光ルーバー２２ｂを透過して自動取引装置の左右方向に向けて出る漏出光の視認性をより効果的に低下させることができる。この場合、反射部材２３は、扁（へん）平な形状を備え、自動取引装置の左右方向を向く側面の面積が大きいものであることが望ましい。
【００３２】
次に、前記構成のタッチパネル付表示装置２０の動作について説明する。ここでは、利用者が、タッチパネル付表示装置２０が装着された自動取引装置を操作して出金取引を行う場合の動作を例に挙げて説明する。
【００３３】
まず、自動取引装置は、タッチパネル付表示装置２０に取引選択画面を表示させて待機する。この場合、出金取引を選択するためのボタン、入金取引を選択するためのボタン、振込取引を選択するためのボタン、振替取引を選択するためのボタン、口座残高を照会する残高照会取引を選択するためのボタン、通帳に未記入の取引データを記入する通帳記帳取引を選択するためのボタン等の各種金融取引を選択するための取引ボタンをタッチパネル付表示装置２０の表示パネル２７が表示する。
【００３４】
そして、利用者が出金取引を選択するためのボタンにタッチすると、透光板２１が利用者の指等が接触した位置を検出する。これにより、自動取引装置は出金取引が選択されたものと判断し、タッチパネル付表示装置２０にカード挿入依頼画面を表示させる。そして、利用者は、カード挿入依頼画面に従ってキャッシュカードを図示されない自動取引装置のカード挿入口に挿入する。
【００３５】
続いて、自動取引装置は、タッチパネル付表示装置２０に暗証番号入力画面を表示させ、利用者に暗証番号の入力を促す。タッチパネル付表示装置２０の表示パネル２７は、暗証番号入力画面に、暗証番号の入力を促す旨の文言、暗証番号表示欄、暗証番号の入力のためのテンキー、暗証番号の入力の間違いを訂正するための訂正ボタン、暗証番号の入力を確定するための確認ボタン、取引を中止するための取消ボタン等を表示する。そして、利用者は、テンキーを操作することによって暗証番号を入力し、確認ボタンを押下する。
【００３６】
この場合、遮光パネル２２は、自動取引装置の左右方向に向けて出る表示パネル２７からの表示光を遮光ルーバー２２ｂによって遮光する。しかし、前記表示光は、完全には遮光されず、わずかに遮光ルーバー２２ｂを透過し、図において矢印２５で示されるように、漏出光が漏れ出てしまう。一方、矢印２６で示される照明光のような周囲からの入射光は、反射部材２３の側面によって反射され、矢印２４で示されるように、反射光が出射する。
【００３７】
ここで、前記反射部材２３の側面は、反射係数の高い鏡面状のものであり、かつ、自動取引装置の左右方向を向くように配列されている。そのため、矢印２５で示されるような漏出光と同方向へ出射する矢印２４で示されるような反射光は、輝度が相対的に高いものとなる。これにより、前記漏出光の視認性が低下し、第三者は、自動取引装置の左右から表示パネル２７の表示内容を覗き見することができなくなる。したがって、利用者が入力した暗証番号等のデータを第三者に覗き見されることがない。
【００３８】
なお、利用者は、自動取引装置の手前側又は上側からタッチパネル付表示装置２０を視認するので、前記遮光ルーバー２２ｂの延在する方向が自動取引装置の左右方向に直交する方向であると、利用者に向けて出る表示パネル２７からの表示光は、遮光ルーバー２２ｂによって遮光されることがない。また、反射部材２３の側面も、自動取引装置の左右方向を向き、利用者の方向を向いていないので、周囲からの入射光が利用者に向けて反射されることがない。そのため、表示パネル２７からの表示光の視認性が低下することがなく、利用者は、表示パネル２７の表示内容を正確に視認することができる。
【００３９】
続いて、自動取引装置は、タッチパネル付表示装置２０に出金金額入力画面を表示させ、利用者に出金金額の入力を促す。タッチパネル付表示装置２０の表示パネル２７は、出金金額入力画面に、出金金額の入力を促す旨の文言、出金金額表示欄、出金金額の入力のためのテンキー、入力の間違いを訂正するための訂正ボタン、出金金額の入力を確定するための確認ボタン、取引を中止するための取消ボタン等を表示する。そして、利用者は、テンキーを操作することによって出金金額を入力し、確認ボタンを押下する。
【００４０】
続いて、自動取引装置は、図示されないホストコンピュータと通信を行い、暗証番号及び支払金額に問題がないか否かを問い合わせる。そして、暗証番号及び支払金額に問題がなければ、自動取引装置は、キャッシュカードをカード挿入口から排出して利用者に返却するとともに、図示されない貨幣出金口から支払金額に相当する貨幣を出金して、出金取引処理を終了する。
【００４１】
このように、本実施の形態においては、透光板２１内に埋設された反射部材２３によって周囲からの入射光を積極的に第三者の方向に反射させる。これにより、遮光パネル２２の遮光ルーバー２２ｂを透過した漏出光に対して、周囲からの入射光の反射光の輝度を高めることができ、前記漏出光の視認性を低下させることができる。
【００４２】
次に、本発明の第２の実施の形態について説明する。なお、第１の実施の形態と同じ構成を有するものについては、同じ符号を付与することによって、その説明を省略する。また、前記第１の実施の形態と同じ動作及び同じ効果についても、その説明を省略する。
【００４３】
図３は本発明の第２の実施の形態におけるタッチパネル付表示装置を示す図である。
【００４４】
本実施の形態においては、図に示されるように、透光板２１の表面に屈折部材として機能する凸面突起３１が複数形成されている。該凸面突起３１は、凸レンズとしての機能を発揮し、自動取引装置の左右方向に向けて出る表示パネル２７からの表示光であって遮光ルーバー２２ｂを透過した漏出光を屈折させ、遮光パネル２２が遮光する表示光の方向以外の方向へ出射させる。具体的には、前記漏出光を正面方向に集光させる。なお、反射部材２３は省略されている。
【００４５】
前記第１の実施の形態において説明したように、遮光パネル２２は、自動取引装置の左右方向に向けて出る表示パネル２７からの表示光を遮光ルーバー２２ｂによって遮光する。しかし、前記表示光は、完全には遮光されず、わずかに遮光ルーバー２２ｂを透過し、図において矢印２５で示されるように、漏出光が漏れ出てしまう。本実施の形態においては、透光板２１の表面に凸面突起３１が形成されているので、透光板２１の表面に対する角度が浅い漏出光は、凸面突起３１によって屈折し、図において矢印２８で示されるように、正面方向、すなわち、利用者の方向に向けて出射される。そのため、自動取引装置の左右方向への漏出光が減少し、該漏出光の視認性が低下し、第三者は、自動取引装置の左右から表示パネル２７の表示内容を覗き見することができなくなる。
【００４６】
このように、本実施の形態においては、透光板２１の表面に形成された凸面突起３１によって自動取引装置の左右方向への漏出光を屈折させ、利用者の方向に向けて出射させる。これにより、自動取引装置の左右方向への漏出光を減少させ、該漏出光の視認性を低下させることができる。
【００４７】
次に、本発明の第３の実施の形態について説明する。なお、第１及び第２の実施の形態と同じ構成を有するものについては、同じ符号を付与することによって、その説明を省略する。また、前記第１及び第２の実施の形態と同じ動作及び同じ効果についても、その説明を省略する。
【００４８】
図４は本発明の第３の実施の形態におけるタッチパネル付表示装置を示す図である。
【００４９】
本実施の形態においては、前記第２の実施の形態と同様に、透光板２１の表面に散乱部材として機能する凸面突起３１が複数形成され、反射部材２３は省略されている。
【００５０】
そして、透光板２１の側端にＬＥＤ等から成る光源を備える照明装置４１を配設し、該照明装置４１からの照明光を、図において矢印４５で示されるように、側端から透光板２１内に入射させる。すると、該透光板２１内に入射した照明光は、凸面突起３１によって散乱し、矢印４３で示されるように、自動取引装置の左右方向に向けて出射される。そのため、矢印２５で示されるような漏出光と同方向へ出射する矢印４３で示されるような散乱光は、輝度が相対的に高いものとなる。
【００５１】
これにより、前記漏出光の視認性が低下し、第三者は、自動取引装置の左右から表示パネル２７の表示内容を覗き見することができなくなる。したがって、利用者が入力した暗証番号等のデータを第三者に覗き見されることがない。
【００５２】
なお、前記照明装置４１は、必ずしも常に照明光を発光する必要はなく、必要なとき、例えば、暗証番号を入力するときのみ発光するように、自動取引装置にインストールされたアプリケーションソフトウェアによって制御することもできる。
【００５３】
このように、本実施の形態においては、照明装置４１からの照明光を透光板２１内に入射させ、該透光板２１の表面に形成された凸面突起３１によって散乱させて自動取引装置の左右方向へ出射させる。これにより、自動取引装置の左右方向への漏出光の視認性を低下させることができる。
【００５４】
なお、前記第２及び第３の実施の形態においては、凸面突起３１が透光板２１の表面に形成されるものとして説明したが、透光板２１内に埋設されるように形成してもよい。さらに、前記第１の実施の形態において説明した反射部材２３は、タッチ操作に支障をきたさない程度の大きさであれば透光板２１の表面に形成することもできる。
【００５５】
また、本発明は前記実施の形態に限定されるものではなく、本発明の趣旨に基づいて種々変形させることが可能であり、それらを本発明の範囲から排除するものではない。
【図面の簡単な説明】
【００５６】
【図１】本発明の第１の実施の形態におけるタッチパネル付表示装置を示す図である。
【図２】従来のルーバーフィルムを備えるタッチパネル付表示装置の表面構造を示す図である。
【図３】本発明の第２の実施の形態におけるタッチパネル付表示装置を示す図である。
【図４】本発明の第３の実施の形態におけるタッチパネル付表示装置を示す図である。
【符号の説明】
【００５７】
２０    タッチパネル付表示装置
２１    透光板
２２    遮光パネル
２２ｂ    遮光ルーバー
２３    反射部材
２７    表示パネル
３１    凸面突起
４１    照明装置
【図１】
2009140205.tif 000003
【図２】
2009140205.tif 000004
【図３】
2009140205.tif 000005
【図４】
2009140205.tif 000006